(57)【要約】【課題】表示映像の輝度の向上を図りながら、ホワイトバランスを維持することが可能な投写型映像表示装置を提供する。【解決手段】光学エンジン２０は、Ｒ光、Ｇ光、Ｂ光をそれぞれ変調する光変調素子５Ｒ，５Ｇ，５Ｂと、Ｇ光用光変調素子５Ｇの光入射側に配置され、Ｙｅ光の偏光状態を調整する偏光状態調整素子５Ｙｅと、光変調素子５Ｒ，５Ｇ，５Ｂから出射された光を色合成する色合成部６０とを含む。偏光状態調整素子５Ｙｅは、Ｇ光とともにＹｅ光が入射されると、Ｇ光の偏光状態を維持して透過するとともに、Ｙｅ光の偏光状態を調整して透過する。映像処理装置は、赤用映像信号、緑用映像信号および青用映像信号に基づいて、Ｙｅ光の重畳量を制御するとともに、Ｙｅ光の重畳量に基づいて、赤用映像信号、緑用映像信号および青用映像信号に基づく映像の無彩色領域のホワイトバランスを調整する。【選択図】図２
2011237614.tif 000002
【特許請求の範囲】
【請求項１】
赤成分光、緑成分光、および青成分光を含む映像光を投写することにより映像を表示する投写型映像表示装置であって、
前記赤成分光に対応する第１の映像信号、前記緑成分光に対応する第２の映像信号、および前記青成分光に対応する第３の映像信号を供給する映像信号供給源と、
前記第１の映像信号、前記第２の映像信号、および前記第３の映像信号に基づいて、赤成分光、緑成分光および青成分光とは異なる色成分光に対応する第４の映像信号を形成する映像信号処理部と、
前記第１の映像信号に応じて赤成分光を変調する第１の光変調素子と、
前記第２の映像信号に応じて緑成分光を変調する第２の光変調素子と、
前記第３の映像信号に応じて青成分光を変調する第３の光変調素子と、
前記第４の映像信号に応じて前記異なる色成分光を変調する第４の光変調素子と、
前記第１の光変調素子で変調された赤成分光、前記第２の光変調素子で変調された緑成分光、前記第３の光変調素子で変調された青成分光、および前記第４の光変調素子で変調された前記異なる色成分光を合成する色合成部と、
前記色合成部によって合成された映像光を投写する投写部とを備え、
前記映像信号処理部は、
前記第１の映像信号、前記第２の映像信号、および前記第３の映像信号に基づいて、赤成分光、緑成分光、および青成分光のいずれかに重畳させる前記異なる色成分光の重畳量を制御する重畳量制御部と、
前記異なる色成分光の重畳量に基づいて、前記第１の映像信号、前記第２の映像信号、および前記第３の映像信号に基づく映像における無彩色領域のホワイトバランスを調整するホワイトバランス制御部とを含む、投写型映像表示装置。
【請求項２】
前記ホワイトバランス制御部は、
前記第１の映像信号、前記第２の映像信号および前記第３の映像信号に基づく映像における無彩色領域を検出するための検出手段と、
前記検出手段により検出された前記無彩色領域を形成する前記第１の映像信号、前記第２の映像信号、および前記第３の映像信号を、前記異なる色成分光の重畳量に応じて補正するための補正手段とを含む、請求項１に記載の投写型映像表示装置。
【請求項３】
前記補正手段は、前記無彩色領域に対して前記異なる色成分光の重畳量毎に予め設定された補正係数を用いて、前記無彩色領域を形成する前記第１の映像信号、前記第２の映像信号および前記第３の映像信号を補正する、請求項２に記載の投写型映像表示装置。
【請求項４】
前記補正手段は、前記第１の映像信号、前記第２の映像信号および前記第３の映像信号に基づく１画面あたりの映像の平均輝度値に応じて前記補正係数を変化させる、請求項３に記載の投写型映像表示装置。
【請求項５】
前記補正手段は、前記異なる色成分光の重畳量に対応して予め設定された前記補正係数を記憶するための記憶手段を含む、請求項３または４に記載の投写型映像表示装置。
【請求項６】
前記補正手段は、前記第１の映像信号、前記第２の映像信号、および前記第３の映像信号に基づく１画面あたりの映像の平均輝度値が所定の閾値を超えるときには、前記第１の映像信号、前記第２の映像信号、および前記第３の映像信号の補正を行なわない、請求項１から５のいずれか１項に記載の投写型映像表示装置。
【発明の詳細な説明】
【技術分野】
【０００１】
この発明は、投写型映像表示装置に関し、より特定的には、赤成分光、緑成分光および青成分光に加えて、赤成分光、緑成分光および青成分光とは異なる色成分光を利用する投写型映像表示装置に関する。
【背景技術】
【０００２】
投写型映像表示装置（以下、プロジェクタとも称する）に用いられる色分離合成光学系として、たとえば特開２００２−２８７３４７号公報（特許文献１）には、光を赤、緑、青および黄の色成分光に分離する色光分離装置と、各色成分光を与えられた映像情報に従って変調する各色成分光ごとの変調装置と、当該変調装置で変調された各色成分光を取り込んで合成して射出する色光合成装置とを備えた構成が開示される。この特許文献１に記載される色分離合成光学系では、色光合成装置が、赤、緑、青の各色成分光を常時取り込み、所定の場合にのみ、赤、緑、青の各色成分光に加えて黄成分光を取り込む。これにより、表示映像に最も暗くなりやすい白色表示が含まれる際に、黄色の波長帯の光が取り込まれて、その分表示映像が明るくなる。
【先行技術文献】
【特許文献】
【０００３】
【特許文献１】特開２００２−２８７３４７号公報
【発明の概要】
【発明が解決しようとする課題】
【０００４】
しかしながら、上記の特許文献１に記載される色分離合成光学系では、黄成分光を取込むことにより、スクリーン上に投写される映像の輝度を向上できる一方で、映像が黄色側にシフトしてしまうため、赤、緑、青の色成分光によって実現されていたホワイトバランスが崩れてしまう。すなわち、黄成分光の利用によって映像の色再現性が低下するという問題が生じる。
【０００５】
それゆえ、この発明はかかる課題を解決するためになされたものであり、その目的は、表示映像の輝度の向上を図りながら、ホワイトバランスを維持することが可能な投写型映像表示装置を提供することである。
【課題を解決するための手段】
【０００６】
この発明のある局面に従えば、投写型映像表示装置は、赤成分光、緑成分光、および青成分光を含む映像光を投写することにより映像を表示する。投写型映像表示装置は、赤成分光に対応する第１の映像信号、緑成分光に対応する第２の映像信号、および青成分光に対応する第３の映像信号を供給する映像信号供給源と、第１の映像信号、第２の映像信号、および第３の映像信号に基づいて、赤成分光、緑成分光および青成分光とは異なる色成分光に対応する第４の映像信号を形成する映像信号処理部と、第１の映像信号に応じて赤成分光を変調する第１の光変調素子と、第２の映像信号に応じて緑成分光を変調する第２の光変調素子と、第３の映像信号に応じて青成分光を変調する第３の光変調素子と、第４の映像信号に応じて異なる色成分光を変調する第４の光変調素子と、第１の光変調素子で変調された赤成分光、第２の光変調素子で変調された緑成分光、第３の光変調素子で変調された青成分光、および第４の光変調素子で変調された異なる色成分光を合成する色合成部と、色合成部によって合成された映像光を投写する投写部とを備える。映像信号処理部は、第１の映像信号、第２の映像信号、および第３の映像信号に基づいて、赤成分光、緑成分光、および青成分光のいずれかに重畳させる異なる色成分光の重畳量を制御する重畳量制御部と、異なる色成分光の重畳量に基づいて、第１の映像信号、第２の映像信号、および第３の映像信号に基づく映像における無彩色領域のホワイトバランスを調整するホワイトバランス制御部とを含む。
【０００７】
好ましくは、ホワイトバランス制御部は、第１の映像信号、第２の映像信号および第３の映像信号に基づく映像における無彩色領域を検出するための検出手段と、検出手段により検出された無彩色領域を形成する第１の映像信号、第２の映像信号、および第３の映像信号を、異なる色成分光の重畳量に応じて補正するための補正手段とを含む。
【０００８】
好ましくは、補正手段は、無彩色領域に対して異なる色成分光の重畳量毎に予め設定された補正係数を用いて、無彩色領域を形成する第１の映像信号、第２の映像信号および第３の映像信号を補正する。
【０００９】
好ましくは、補正手段は、第１の映像信号、第２の映像信号および第３の映像信号に基づく１画面あたりの映像の平均輝度値に応じて補正係数を変化させる。
【００１０】
好ましくは、補正手段は、異なる色成分光の重畳量に対応して予め設定された補正係数を記憶するための記憶手段を含む。
【００１１】
好ましくは、補正手段は、第１の映像信号、第２の映像信号、および第３の映像信号に基づく映像の平均輝度値が所定の閾値を超えるときには、第１の映像信号、第２の映像信号、および第３の映像信号の補正を行なわない。
【発明の効果】
【００１２】
この発明によれば、赤成分光、緑成分光および青成分光とは異なる色成分光の利用により表示映像の輝度の向上を図りながら、ホワイトバランスを維持することができるため、色再現性の優れた映像を得ることが可能となる。
【図面の簡単な説明】
【００１３】
【図１】この発明の実施の形態に係る投写型映像表示装置の概略構成図である。
【図２】図１における光学エンジンの概略構成図である。
【図３】この発明の実施の形態に従う偏光状態調整素子を説明するための図である。
【図４】この発明の実施の形態に従う映像処理装置における制御構造を示すブロック図である。
【図５】図４における重畳量制御部の構成を説明するブロック図である。
【図６】図４におけるホワイトバランス制御部の構成を説明するブロック図である。
【図７】無彩色領域の検出方法を説明する図である。
【図８】図７におけるＲＧＢ係数テーブルの一例を説明する図である。
【図９】無彩色領域のホワイトバランス調整を説明する図である。
【図１０】この発明の実施の形態に従うホワイトバランス調整の処理手順を示すフローチャートである。
【図１１】この発明の実施の形態に従うホワイトバランス調整を行なった場合の色度の変化を説明する図である。
【図１２】Ｙｅ光の重畳量を一定とした場合の色度の変化を説明する図である。
【発明を実施するための形態】
【００１４】
以下、本発明の実施の形態について、図面を参照しながら詳細に説明する。なお、図中の同一または相当する部分には同一符号を付してその説明は繰返さない。
【００１５】
図１は、この発明の実施の形態に係る投写型映像表示装置の概略構成図である。
図１を参照して、投写型映像表示装置（以下、「プロジェクタ」とも記す）１００は、投写するべき映像のデータを処理する映像処理装置１と、スクリーン６に映像を投写するための投写部である光学エンジン２０とを備える。プロジェクタ１００は、後述するように、赤成分光、緑成分光および青成分光に加えて、黄成分光を利用する。
【００１６】
図２は、図１における光学エンジン２０の概略構成図である。
図２を参照して、プロジェクタ１００は、映像を投影するために、光学エンジン２０と、投写レンズ６２とを備える。なお、プロジェクタ１００は、スピーカ等の音声を出力するための構成要素や、光学エンジン２０の構成要素および音声出力部を電気的に制御するための回路基板なども搭載するが、図２では、これらを含む一部の構成要素の図示は省略されている。
【００１７】
光学エンジン２０は、照明装置である光源５０を含む。光源５０は、白色光を発するＵＨＰランプなどからなる。すなわち、光源５０が出射する光は、赤成分光、緑成分光、青成分光および黄成分光を少なくとも含む。
【００１８】
ここで、黄成分光は、赤成分光、緑成分光および青成分光のみを用いて再現可能な色範囲（ＲＧＢ色再現範囲）外の色を再現可能とする光である。Ｒ，Ｇ，Ｂの３色の光を利用するプロジェクタでは、黄成分光は、色分離の過程で除かれる光である。光源５０からは、ほぼ平行光となって光が出射される。
【００１９】
光源５０からの光は、フライアイインテグレータ５１などのレンズ系を通過し、ダイクロイックミラー５２に入射する。当該レンズ系は、レンズ系を通過することにより、液晶パネル５Ｒ，５Ｇおよび５Ｂに入射する光の光量分布が均一となるよう、光源５０から入射される光に光学作用を付与する。
【００２０】
ダイクロイックミラー５２は、入射された光のうち、青成分光（以下、「Ｂ光」という）のみを透過し、赤成分光（以下、「Ｒ光」という）、緑成分光（以下、「Ｇ光」という）および黄成分光（以下、「Ｙｅ光」という）を反射する。ダイクロイックミラー５２を透過したＢ光は、ミラー５３に導かれ、そこで反射され、ほぼ平行光で液晶パネル５Ｂに入射する。液晶パネル５Ｂは、後述するように、青用映像信号（青用入力信号Ｂｉｎから算出される青用出力信号Ｂｏｕｔ）に応じて駆動され、その駆動状態に応じてＢ光の偏光方向を回転させることによってＢ光を変調する。
【００２１】
液晶パネル５Ｂに光が入射する側には、一の偏光方向を有する光（例えば、Ｐ偏光）を透過して、他の偏光方向を有する光（例えば、Ｓ偏光）を遮光する偏光板４Ｂが設けられる。一方で、液晶パネル５Ｂから光を出射する側には、他の偏光方向を有する光（例えば、Ｓ偏光）を透過して、一の偏光方向を有する光（例えば、Ｐ偏光）を遮光する偏光板６Ｂが設けられる。
【００２２】
したがって、液晶パネル５ＢがＢ光の偏光方向を回転させない場合には、偏光板４Ｂを透過したＢ光が偏光板６Ｂで遮光されるため、Ｂ光がクロスダイクロイックキューブ６０に照射されない。一方で、液晶パネル５ＢがＢ光の偏光方向を回転させた場合には、偏光板４Ｂを透過したＢ光が偏光板６Ｂを透過するため、Ｂ光がクロスダイクロイックキューブ６０に照射される。
【００２３】
ダイクロイックミラー５２によって反射された光のうちＧ光およびＹｅ光は、ダイクロイックミラー５４によって反射され、ほぼ平行光で液晶パネル５Ｇに入射される。液晶パネル５Ｇは、緑用映像信号（緑用入力信号Ｇｉｎから算出される緑用出力信号Ｇｏｕｔ）に応じて駆動され、その駆動状態に応じてＧ光およびＹｅ光の偏光方向を回転させることによってＧ光およびＹｅ光を変調する。
【００２４】
液晶パネル５Ｇに光が入射する側には、一の偏光方向を有する光を透過して、他の偏光方向を有する光を遮光する偏光板４Ｇが設けられる。一方で、液晶パネル５Ｇから光を出射する側には、他の偏光方向を有する光を透過して、一の偏光方向を有する光を遮光する偏光板６Ｇが設けられる。
【００２５】
ダイクロイックミラー５４を透過したＲ光は、ダイクロイックミラー５５，５６によって反射され、ほぼ平行光で液晶パネル５Ｒに入射される。液晶パネル５Ｒは、赤用映像信号（赤用入力信号Ｒｉｎから算出される赤用出力信号Ｒｏｕｔ）に応じて駆動され、その駆動状態に応じてＲ光の偏光方向を回転させることによってＲ光を変調する。
【００２６】
液晶パネル５Ｒに光が入射する側には、一の偏光方向を有する光を透過して、他の偏光方向を有する光を遮光する偏光板４Ｒが設けられる。一方で、液晶パネル５Ｒから光を出射する側には、他の偏光方向を有する光を透過して、一の偏光方向を有する光を遮光する偏光板６Ｒが設けられる。
【００２７】
偏光状態調整素子５Ｙｅは、偏光板４Ｇに光が入射する側に設けられる。偏光状態調整素子５Ｙｅは、Ｙｅ光の偏光状態を調整することによってＹｅ光を変調する。その一方で、偏光状態調整素子５Ｙｅは、Ｇ光の偏光状態を調整せずにＧ光を透過する。
【００２８】
ここで、偏光状態調整素子５Ｙｅは、自素子に入射した直線偏光の偏光状態を調整することが可能な素子であり、直線偏光または楕円偏光（もしくは円偏光）を出射する。具体的には、偏光状態調整素子５Ｙｅは、自素子に印加される電圧の大きさに応じて、自素子に入射する直線偏光と自素子から出射される直線偏光とによって構成される角度を０〜９０°の範囲内で調整する素子である。あるいは、偏光状態調整素子５Ｙｅは、自素子に印加される電圧の大きさに応じて、自素子に入射する直線偏光を楕円偏光（もしくは円偏光）に調整する素子であってもよい。
【００２９】
このような偏光状態調整素子５Ｙｅによる偏光方向の調整によって、偏光状態調整素子５Ｙｅの光出射側に設けられた偏光板４Ｇを透過する光量が調整される。図３は、この発明の実施の形態に従う偏光状態調整素子５Ｙｅを説明するための図である。本実施の形態では、偏光状態調整素子５Ｙｅは、図３（ａ）に示すように、偏光状態調整素子５Ｙｅに電圧が印加されていない状態では、Ｇ光およびＹｅ光の偏光方向を回転させずに、Ｇ光およびＹｅ光を透過する。
【００３０】
一方、図３（ｂ）に示すように、偏光状態調整素子５Ｙｅは、偏光状態調整素子５Ｙｅに電圧が印加された状態では、その電圧の大きさに応じてＹｅ光の偏光方向のみを０〜９０°の範囲内で回転させて、Ｇ光およびＹｅ光を透過する。
【００３１】
ここで、偏光状態調整素子５Ｙｅから出射されたＧ光およびＹｅ光は、偏光板４Ｇに照射される。偏光板４Ｇは、一の偏光方向を有する光（例えば、Ｓ偏光）を透過して、他の偏光方向を有する光（例えば、Ｐ偏光）を遮光する。したがって、偏光状態調整素子５ＹｅがＹｅ光の偏光方向を回転させることによって、クロスダイクロイックキューブ６０に到達するＹｅ光の光量が制御される。
【００３２】
クロスダイクロイックキューブ６０は、液晶パネル５Ｒ，５Ｇおよび５Ｂによって変調されたＲ光、Ｇ光、Ｙｅ光およびＢ光を色合成し、投写レンズ６２へと入射させる。投写レンズ６２は、投写光を被投写面であるスクリーン６に結像させるためのレンズ群と、これらレンズ群の一部を光軸方向に変位させて投写映像のズーム状態およびフォーカス状態を調整するためのアクチュエータとを備えている。クロスダイクロイックキューブ６０によって色合成された光は、投写レンズ６２によって、スクリーン６上に拡大投写される。
【００３３】
以上に述べたように、本実施の形態に係るプロジェクタ１００において、偏光状態調整素子５Ｙｅは、Ｇ光を変調せずに透過し、Ｙｅ光を変調して透過する。そして、偏光状態調整素子５Ｙｅから出射されたＧ光およびＹｅ光が液晶パネル５Ｇに入射する。すなわち、Ｙｅ光は、Ｇ光に重畳されてクロスダイクロイックキューブ６０に供給される。
【００３４】
このような構成としたことにより、投写レンズ６２がスクリーン６上に投写する映像の輝度が向上する。したがって、３色を利用するプロジェクタ１００の構成において、Ｇ光の光路上に偏光状態調整素子５Ｙｅを配置することによって、４色の光を利用する方式に対応することができる。
【００３５】
その一方で、輝度向上を図るためにＹｅ光が利用される場合において、Ｒ光、Ｇ光、Ｂ光およびＹｅ光によって白色を再現しようとすると、Ｙｅ光の影響によって再現色が白色からずれてしまう。以下に、このようなＹｅ光を利用する場合においても、ホワイトバランスを維持することを可能とするための映像処理について説明する。
【００３６】
［制御構造］
次に、図４を参照して、本実施の形態に従うプロジェクタ１００における映像処理を実現するための制御構造を説明する。
【００３７】
図４は、この発明の実施の形態に従う映像処理装置１における制御構造を示すブロック図である。
【００３８】
図４を参照して、映像処理装置１は、Ａ／Ｄコンバータ１１０と、走査変換回路１２０と、色分離回路１３０と、重畳量制御部１４０と、ホワイトバランス制御部１５０と、制御部１６０と、タイミングジェネレータ１７０とを備える。
【００３９】
Ａ／Ｄコンバータ１１０は、図示しないレシーバを介して入力された映像信号Ｄｉｎを、アナログ信号からデジタル信号に変換し、デジタル信号を走査変換回路に出力する。
【００４０】
走査変換回路１２０は、液晶パネル５Ｒ，５Ｇ，５Ｂの駆動周波数に同期するように、入力された映像信号Ｄｉｎに対してフレームレートの変換処理を行なう。
【００４１】
色分離回路１３０は、走査変換回路１２０から時系列に入力される映像信号Ｄｉｎを、順次赤用入力信号Ｒｉｎ、緑用入力信号Ｇｉｎおよび青用入力信号Ｂｉｎに分離し、これらの信号を重畳量制御部１４０に入力する。
【００４２】
重畳量制御部１４０は、各色信号（赤用入力信号、緑用入力信号および青用入力信号）に基づいて、黄成分光（Ｙｅ光）の重畳量を制御する。具体的には、重畳量制御部１４０は、赤用入力信号Ｒｉｎ、緑用入力信号Ｇｉｎおよび青用入力信号Ｂｉｎを変更せずにホワイトバランス制御部１５０に入力する。一方、重畳量制御部１４０は、赤用入力信号、緑用入力信号および青用入力信号に基づいて、Ｙｅ光の寄与度を算出して、Ｙｅ光の重畳量を制御するための黄用信号を生成する。
【００４３】
図５は、図４における重畳量制御部１４０の構成を説明するブロック図である。
図５を参照して、重畳量制御部１４０は、入力信号受付部１４２と、変調量制御部１４４とを含む。
【００４４】
入力信号受付部１４２は、各色信号（赤用入力信号、緑用入力信号および青用入力信号）を受付ける。入力信号受付部１４２は、赤用入力信号Ｒｉｎ、緑用入力信号Ｇｉｎおよび青用入力信号Ｂｉｎを変調量制御部１４４に入力する。
【００４５】
変調量制御部１４４は、入力信号受付部１４２から取得した各色信号に基づいて、Ｙｅ光の重畳量を決定する。そして、変調量制御部１４４は、その決定したＹｅ光の重畳量に基づいて、Ｙｅ光の偏光状態を調整する変調量（すなわち、黄用信号の値）を制御する。
【００４６】
具体的には、変調量制御部１４４は、赤用入力信号Ｒｉｎ、緑用入力信号Ｇｉｎおよび青用入力信号Ｂｉｎに基づいて、輝度の代表値を算出する。輝度の代表値は、輝度の最小値、輝度の最大値および輝度の平均値のいずれかである。変調量制御部１４４は、算出した輝度の代表値に応じて、映像に対するＹｅ光の重畳量を決定し、その決定した重畳量に基づいて偏光状態調整素子５Ｙｅ（図３）の変調量を制御する。
【００４７】
黄用信号の値の制御構成としては、たとえば、各色信号が８ｂｉｔ系列で表現される場合において、入力される映像信号Ｄｉｎの輝度の代表値（たとえば、輝度の最大値とする。）が「２５５」であるときには、黄用信号の値を最大値（すなわち、２５５）とする。一方で、輝度の代表値が「１２８」であるときには、黄用信号の値は最大値の半分（すなわち、１２８）とする。
【００４８】
このような構成とすることにより、スクリーン６上に表示される映像が黒である場合には、輝度の代表値が「０」となるため、黄用信号の値も「０」となる、一方、スクリーン６上に表示される映像が白である場合には、輝度の代表値が「２５５」となるため、黄用信号の値も「２５５」となる。この結果、スクリーン６上に表示される映像が白である場合には、液晶パネル５Ｇから出射される光に偏光状態調整素子５Ｙｅから出射される光が加えられるため、スクリーン６上に表示される映像の輝度が向上する。
【００４９】
以上のように赤用入力信号Ｒｉｎ、緑用入力信号Ｇｉｎおよび青用入力信号Ｂｉｎに基づいてＹｅ光の重畳量を制御することにより、映像の輝度が向上する。しかしながら、その一方で、Ｒ光、Ｇ光、Ｂ光およびＹｅ光によって白色を再現しようとすると、Ｙｅ光の影響によって再現色が白色からずれてしまう。Ｙｅ光の重畳量を増加させることで映像が黄色側にシフトしてしまい、Ｙｅ光の重畳量を減少させることで映像が青色側にシフトしてしまうためである。そのため、赤、緑、青の色成分光によって実現されていたホワイトバランスが崩れてしまい、映像の色再現性が低下する可能性がある。
【００５０】
本実施の形態に係る映像処理装置１では、映像の輝度および色再現性の向上のために、Ｙｅ光の重畳量に応じて、映像のホワイトバランスを調整するホワイトバランス制御を行なう。なお、ホワイトバランス制御とは、白色を正しく再現するための制御である。
【００５１】
具体的には、図４を参照して、重畳量制御部１４０は、赤用信号、緑用信号および青用信号とともに、変調量制御部１４４によって生成した黄用信号を、ホワイトバランス制御部１５０に入力する。
【００５２】
ホワイトバランス制御部１５０は、Ｙｅ光の重畳量（すなわち、黄用信号の値）に基づいて、映像における無彩色領域のホワイトバランスを調整する。具体的には、ホワイトバランス制御部１５０は、白色または灰色などの無彩色の領域に対して、Ｙｅ光の重畳量に応じて、赤用入力信号Ｒｉｎ、緑用入力信号Ｇｉｎおよび青用入力信号Ｂｉｎを補正する。ホワイトバランス制御部１５０の構成および動作の詳細については後述する。
【００５３】
ホワイトバランス制御部１５０は、補正後の赤用入力信号Ｒｉｎ（赤用調整信号Ｒ♯）を赤用出力信号Ｒｏｕｔとして、液晶パネル５Ｒに出力する。同様に、ホワイトバランス制御部１５０は、補正後の緑用入力信号Ｇｉｎ（緑用調整信号Ｇ♯）および補正後の青用入力信号Ｂｉｎ（青用調整信号Ｂ♯）を、緑用出力信号Ｇｏｕｔおよび青用出力信号Ｂｏｕｔとして、液晶パネル５Ｇおよび５Ｂにそれぞれ出力する。また、ホワイトバランス制御部１５０は、黄用信号をそのまま黄用出力信号Ｙｅｏｕｔとして、偏光状態調整素子５Ｙｅに出力する。
【００５４】
液晶パネル５Ｒ，５Ｇ，５Ｂのそれぞれは、液晶の画素が配列されてなるパネル５１Ｒ，５１Ｇ，５１Ｂのそれぞれと、与えられる出力信号に基づきパネルの液晶素子を水平および垂直の各方向に従い駆動するパネルドライバ５２Ｒ，５２Ｇ，５２Ｂのそれぞれを含む。
【００５５】
偏光状態調整素子５Ｙｅは、Ｙｅ光の偏光状態のみを調整可能に構成されたノッチフィルタタイプの素子（以下、「Ｙｅ素子」とも称す）５１Ｙｅと、Ｙｅ素子５１Ｙｅを駆動するためのＹｅ素子ドライバ５２Ｙｅとを含む。
【００５６】
制御部１６０は、ＣＰＵ（Central Processing Unit）と、ＲＯＭ（Read Only Memory）やＲＡＭ（Random Access Memory）などの記憶部と、入出力インターフェイスとを含むマイクロコンピュータを主体として構成される。制御部１６０は、予めＲＯＭなどに格納されたプログラムをＣＰＵがＲＡＭに読出して実行することによって、映像処理装置１の動作を統括制御する。
【００５７】
タイミングジェネレータ１７０は、制御部１６０の制御を受けて、パネル５１Ｒ，５１Ｇ，５１Ｂおよびパネルドライバ５２Ｒ，５２Ｇ，５２Ｂの駆動タイミングを同期させる。
【００５８】
（ホワイトバランス調整）
以下に、本実施の形態に係るホワイトバランス制御部１５０の構成および動作について、図面を参照しながら説明する。
【００５９】
図６は、図４におけるホワイトバランス制御部１５０の構成を説明するブロック図である。
【００６０】
図６を参照して、ホワイトバランス制御部１５０は、入力信号受付部２００と、平均輝度値算出部２１０と、比較部２２０と、無彩色領域検出部２３０と、無彩色領域補正部２４０と、出力部２５０と、ＲＧＢ係数テーブル２６０とを含む。
【００６１】
入力信号受付部２００は、重畳量制御部１４０（図５）から出力された赤用入力信号Ｒｉｎ、緑用入力信号Ｇｉｎ、青用入力信号Ｂｉｎおよび黄用信号を取得する。入力信号受付部２００は、赤用入力信号Ｒｉｎ、緑用入力信号Ｇｉｎ、青用入力信号Ｂｉｎおよび黄用信号のうちの赤用入力信号Ｒｉｎ、緑用入力信号Ｇｉｎおよび青用入力信号Ｂｉｎを平均輝度値算出部２１０および無彩色領域検出部２３０に入力する。入力信号受付部２００は、黄用信号を、無彩色領域補正部２４０および出力部２５０に入力する。
【００６２】
平均輝度値算出部２１０は、赤用入力信号Ｒｉｎ、緑用入力信号Ｇｉｎおよび青用入力信号Ｂｉｎによって再現される１フレームの映像の輝度の平均値（以下、平均輝度値ともいう）を算出する。なお、本実施の形態では、１フレームの映像の表現形式として、Ｒ・Ｇ・Ｂの各色に「０」から「２５５」の２５６階調（８ビット）の階調値で表したＲＧＢデータを用いるものとする。
【００６３】
平均輝度値（Average Picture Level、以下「ＡＰＬ」ともいう）は、１フレームの映像の各画素のＲＧＢデータの平均値から式（１）を用いて算出される。
【００６４】
【数１】
2011237614.tif 000003
【００６５】
ただし、Ｒａｖｅは、赤色について算出された各画素の平均輝度値であり、Ｇａｖｅは、緑色について算出された各画素の平均輝度値であり、Ｂａｖｅは、青色について算出された各画素の平均輝度値である。なお、係数α，β，γは、色相ごとに設定された調整係数であり、「α＋β＋γ＝１」の関係を有する。
【００６６】
比較部２２０は、１フレームの映像の平均輝度値ＡＰＬを受け、制御部１６０（図４）から予め定められた閾値を受けると、平均輝度値ＡＰＬと閾値とを比較する。比較部２２０は、平均輝度値ＡＰＬと閾値との比較結果を示す信号を生成し、その生成した比較結果信号を無彩色領域検出部２３０に入力する。
【００６７】
無彩色領域検出部２３０は、比較部２２０から入力される比較結果信号が、平均輝度値ＡＰＬが閾値を下回ることを示すときには、１フレームの映像における無彩色領域を検出したものと判定する。
【００６８】
具体的には、無彩色領域検出部２３０は、１フレームの映像に含まれる各画素の彩度値Ｓを算出する。各画素の彩度値Ｓは、画素ごとのＲＧＢデータのうちの最大値および最小値より、式（２）に基づいて算出される。
【００６９】
【数２】
2011237614.tif 000004
【００７０】
なお、ｍａｘ（Ｒ，Ｇ，Ｂ）は、赤用入力信号Ｒｉｎ、緑用入力信号Ｇｉｎおよび青用入力信号Ｂｉｎのうち、信号値が最も高い信号である。ｍｉｎ（Ｒ，Ｇ，Ｂ）は、赤用入力信号Ｒｉｎ、緑用入力信号Ｇｉｎおよび青用入力信号Ｂｉｎのうち、信号値が最も低い信号である。
【００７１】
次に、無彩色領域検出部２３０は、算出した各画素の彩度値Ｓに基づいて、映像における無彩色領域を検出する。図７は、無彩色領域の検出方法を説明する図である。図７に示す円は、色空間のうちの色相および彩度についての色空間を表す。具体的には、色相を円の円周方向に表し、彩度を円の半径方向に表す。上記の式（２）において、ｍａｘ（Ｒ，Ｇ，Ｂ）＝ｍｉｎ（Ｒ，Ｇ，Ｂ）のとき、すなわちＲ＝Ｇ＝Ｂのときには、彩度値Ｓは０となり、図７に示す円の中心を示す。
【００７２】
本実施の形態では、図７に示すように、彩度値Ｓ＝０を中心とし、かつ、彩度閾値をａ（ａ＞０）として無彩色領域が設定される。この場合、無彩色領域検出部２３０は、１画素ごとに彩度値Ｓが彩度閾値ａ以下であるか否かを判定し、彩度値Ｓが彩度閾値ａ以下となる場合には、対応する画素が無彩色領域に属すると判定する。無彩色領域検出部２３０は、判定結果を示す信号を、赤用入力信号Ｒｉｎ、緑用入力信号Ｇｉｎおよび青用入力信号Ｂｉｎとともに無彩色領域補正部２４０に入力する。無彩色領域補正部２４０では、検出された無彩色領域に対して、ホワイトバランス調整が施される。
【００７３】
一方、比較部２２０からの比較結果信号が、平均輝度値ＡＰＬが閾値以上であることを示すときには、無彩色領域検出部２３０は、該当する１フレームには無彩色領域は含まれないと判定し、図７に示した１フレームの映像における無彩色領域の検出を行なわない。この場合、該当する１フレームに無彩色領域が存在しても、に対するホワイトバランス調整は行なわれない。
【００７４】
すなわち、ホワイトバランス制御部１５０は、１フレームの映像の平均輝度値ＡＰＬが閾値以上となる場合には、映像の無彩色領域に対するホワイトバランスの調整を行なわない。これは、本実施の形態に従うホワイトバランス調整は、Ｙｅ光の利用による映像の輝度向上に伴ない、映像の色再現性が低下するのを抑制するものであるところ、映像の平均輝度値ＡＰＬが閾値以上となる場合には、映像の色再現性よりも映像の明るさの確保を優先すべきと判断されるためである。
【００７５】
無彩色領域補正部２４０は、赤用入力信号Ｒｉｎ、緑用入力信号Ｇｉｎおよび青用入力信号Ｂｉｎによって再現される映像の無彩色領域のホワイトバランスを調整する。具体的には、無彩色領域補正部２４０は、Ｙｅ光の重畳量に応じて、無彩色領域を形成する赤用入力信号Ｒｉｎ、緑用入力信号Ｇｉｎおよび青用入力信号Ｂｉｎを補正する。なお、映像の有彩色領域については、Ｒ光、Ｇ光およびＢ光によって再現される色の色合いを保つ観点から、赤用入力信号Ｒｉｎ、緑用入力信号Ｇｉｎおよび青用入力信号Ｂｉｎの補正は行なわない。
【００７６】
このとき、無彩色領域補正部２４０は、Ｙｅ光の重畳量ごとに予め設定された補正係数を用いて、無彩色領域を形成する赤用入力信号Ｒｉｎ、緑用入力信号Ｇｉｎおよび青用入力信号Ｂｉｎを補正する。具体的には、無彩色領域補正部２４０は、ＲＧＢ係数テーブル２６０を参照することにより、Ｙｅ光の重畳量に対応する補正係数を決定する。そして、無彩色領域補正部２４０は、その決定した補正係数に基づいて、無彩色領域の映像データのホワイトバランスを調整する。すなわち、無彩色領域補正部２４０は、補正係数に基づいた増幅率または減衰率で、映像データのＲ成分、Ｇ成分およびＢ成分をそれぞれ増幅または減衰することで、無彩色領域の再現色が白色からずれるのを抑えるように補正する。
【００７７】
図８は、図６におけるＲＧＢ係数テーブル２６０の一例を説明する図である。図８を参照して、ＲＧＢ係数テーブル２６０では、無彩色領域の映像データのＲ成分、Ｇ成分、Ｂ成分の補正係数（Ｒ係数、Ｇ係数およびＢ係数）が、Ｙｅ光の重畳量と対応付けられて設定されている。なお、Ｒ係数は映像データのＲ成分の補正係数を示し、Ｇ係数は映像データのＧ成分の補正係数を示し、Ｂ係数は映像データのＢ成分の補正係数を示す。
【００７８】
図８の例では、Ｙｅ光の重畳量が最大値（すなわち、２５５）のとき、すなわちスクリーン上に表示される映像が白であるときの補正係数を、Ｒ係数＝Ｇ係数＝Ｂ係数＝１とする。この場合、無彩色領域の映像データのＲ成分、Ｇ成分およびＢ成分は実質的に補正されない。
【００７９】
Ｙｅ光の重畳量が「２５５」から減少するに従って、Ｒ係数およびＧ係数は１から増加するように設定される。一方、Ｂ係数は、Ｙｅ光の重畳量が「２５５」から減少するに従って、１から減少するように設定される。すなわち、Ｙｅ光の重畳量が減少することによって白色が青色側にシフトすることから、Ｙｅ光に相当する色相に隣接する色相（赤色および緑色）を有するＲ成分およびＧ成分を増幅させると同時に、Ｙｅ光に相当する色相の補色である色相を有するＢ成分を減衰させている。このように、Ｙｅ光の重畳量の減少によって崩れるホワイトバランスを、映像データのＲ成分、Ｇ成分およびＢ成分を増幅または減衰させることによって、より正確に調整することができる。
【００８０】
なお、図８のＲＧＢ係数テーブル２６０に示される補正係数（Ｒ係数、Ｇ係数およびＢ係数）は、光源５０（図２）に固有の光学特性などを考慮して予め設定されて、制御部１６０の記憶部（図示せず）に記憶されている。
【００８１】
無彩色領域補正部２４０は、ＲＧＢ係数テーブル２６０を参照することにより、Ｙｅ光の重畳量に対応付けられている補正係数（Ｒ係数、Ｇ係数およびＢ係数）を決定する。このとき、ＲＧＢ係数テーブル２６０に設定されていないＹｅ光の重畳量に対応する補正係数については、ＲＧＢ係数テーブル２６０内の適当な２つの補正係数を線形補間することにより、算出することができる。
【００８２】
無彩色領域補正部２４０は、決定したＲ係数、Ｇ係数およびＢ係数を、無彩色領域の映像データの赤用入力信号Ｒｉｎ、緑用入力信号Ｇｉｎおよび青用入力信号Ｂｉｎにそれぞれ乗算する。このようにして、無彩色領域補正部２４０は、Ｙｅ光の重畳量に基づいて、無彩色領域の映像データのＲ成分、Ｇ成分およびＢ成分を補正する。
【００８３】
図９は、Ｙｅ光の重畳量が「４３」に設定されたときの無彩色領域のホワイトバランス調整を説明する図である。同図では、３×３画素の映像データ（図９（ａ）参照）を想定して、ホワイトバランス調整の手法について説明する。
【００８４】
図９（ａ）を参照して、３×３画素の映像データに含まれる各画素は（Ｒ，Ｇ，Ｂ）の色成分により構成される。図中では、マトリクス状に配置された１画素ごとに各色成分が０から２５５の２５６階調（８ビット）の階調値で表されている。なお、以下では、図９（ａ）に示す映像データの平均輝度値ＡＰＬが閾値を下回るものと想定する。
【００８５】
無彩色領域検出部２３０は、上述した方法によって、１フレームの映像（図９（ａ））に含まれる各画素の彩度値Ｓを算出する。図９（ｂ）には、各画素の彩度値Ｓの算出結果が示される。無彩色領域検出部２３０は、算出した１画素ごとの彩度値Ｓに基づいて、無彩色領域を検出する。たとえば彩度閾値ａを「６０」とした場合には、無彩色領域検出部２３０は、彩度値Ｓが彩度閾値ａ（＝６０）以下であるか否かを、１画素ごとに判定する。図９（ｂ）では、３×３画素のうちの画素Ｐ１および画素Ｐ２が無彩色領域に属していると判定される。
【００８６】
無彩色領域補正部２４０は、１フレームの映像における無彩色領域のホワイトバランスを調整する。最初に、無彩色領域補正部２４０は、ＲＧＢ係数テーブル２６０（図８）を参照することにより、Ｙｅ光の重畳量（＝４３）に対応する補正係数を決定する。ＲＧＢ係数テーブル２６０からは、Ｙｅ光の重畳量が４３であるときの補正係数は、Ｒ係数＝Ｇ係数＝１．１４、Ｂ係数＝０．５５に決定される。
【００８７】
次に、無彩色領域補正部２４０は、決定した補正係数を用いて、無彩色領域に属する画素Ｐ１，Ｐ２のＲ成分、Ｇ成分、Ｂ成分を補正する。具体的には、無彩色領域補正部２４０は、画素Ｐ１のＲＧＢの階調値のそれぞれに、Ｒ係数（＝１．１４）、Ｇ係数（＝１．１４）およびＢ係数（＝０．５５）を乗算する。これにより、図９（ｃ）に示すように、補正後の画素Ｐ１のＲＧＢの階調値は（２５５，２５５，１４０）となる。画素Ｐ２のＲＧＢ階調値についても補正係数を乗算することにより、補正後の画素Ｐ２のＲＧＢの階調値は（２１７，２２８，８８）となる。なお、階調値に補正係数を乗算した値が最大値２５５を超えるときには、補正後の階調値は２５５とされる。
【００８８】
このように、Ｙｅ光の重畳量に応じて、無彩色領域に属する画素の色成分を増幅または減衰させることにより、Ｙｅ光の影響を受けることなく無彩色領域の再現色が白色からずれてしまうのを抑制することができる。この結果、映像の輝度向上を図りながら、Ｙｅ光の利用によって映像の色再現性が低下するのを抑制することが可能となる。
【００８９】
再び図６を参照して、無彩色領域補正部２４０は、補正後の無彩色領域の映像データを含む、１フレームの映像を形成する赤用調整信号Ｒ♯、緑用調整信号Ｇ♯および青用調整信号Ｂ♯を生成する。無彩色領域補正部２４０は、その生成した各色調整信号Ｒ♯，Ｇ♯，Ｂ♯を出力部２５０に入力する。
【００９０】
出力部２５０は、赤用出力信号Ｒｏｕｔ、緑用出力信号Ｇｏｕｔ、青用出力信号Ｂｏｕｔおよび黄用出力信号Ｙｅｏｕｔを液晶パネル５Ｒ，５Ｇ，５Ｂおよび偏光状態調整素子５Ｙｅにそれぞれ出力する。具体的には、出力部２５０は、赤用調整信号Ｒ♯を赤用出力信号Ｒｏｕｔとして液晶パネル５Ｒ（図４）に出力する。出力部２５０は、緑用調整信号Ｇ♯および青用調整信号Ｂ♯を緑用出力信号Ｇｏｕｔおよび青用出力信号Ｂｏｕｔとして液晶パネル５Ｇおよび５Ｂ（図４）にそれぞれ出力する。出力部２５０は、黄用信号Ｙｅをそのまま黄用出力信号Ｙｅｏｕｔとして偏光状態調整素子５Ｙｅ（図４）に出力する。
【００９１】
なお、赤用出力信号Ｒｏｕｔ、緑用出力信号Ｇｏｕｔおよび青用出力信号Ｂｏｕｔには、各液晶パネル５Ｒ，５Ｇ，５Ｂに入力される前に、解像度を液晶パネル５Ｒ，５Ｇ，５Ｂの解像度に合わせる解像度変換や、輝度調整、コントラスト調整、シャープネス調整などの各種画質調整が施される。
【００９２】
以上の処理は、図１０に示すような処理フローにまとめることができる。
（フローチャート）
図１０は、この発明の実施の形態に従うホワイトバランス調整の処理手順を示すフローチャートである。図１０に示す処理フローは、ホワイトバランス制御部１５０（図４）によってフレームごとに実行される処理である。また、図１０に示す各ステップの処理は、ホワイトバランス制御部１５０（図４）が図６に示す各制御ブロックとして機能することで実現される。
【００９３】
図１０を参照して、平均輝度値算出部２１０は、重畳量制御部１４０（図４）から赤用入力信号Ｒｉｎ、緑用入力信号Ｇｉｎおよび青用入力信号Ｂｉｎを受けると、赤用入力信号Ｒｉｎ、緑用入力信号Ｇｉｎおよび青用入力信号Ｂｉｎによって再現される１フレームの映像の平均輝度値ＡＰＬを、上記の式（１）を用いて算出する（ステップＳ０１）。
【００９４】
比較部２２０は、算出された１フレームの映像の平均輝度値ＡＰＬと予め定められた閾値とを比較する（ステップＳ０２）。比較部２２０が、１フレームの映像の平均輝度値ＡＰＬが閾値以上であると判定したときには、ホワイトバランス制御部１５０は、映像の無彩色領域に対するホワイトバランスの調整を行なわない。この場合、ホワイトバランス制御部１５０は、赤用入力信号Ｒｉｎ、緑用入力信号Ｇｉｎおよび青用入力信号Ｂｉｎをそのまま赤用出力信号Ｒｏｕｔ、緑用出力信号Ｇｏｕｔおよび青用出力信号Ｂｏｕｔとして、各液晶パネル５Ｒ，５Ｇ，５Ｂに出力する（ステップＳ０５）。
【００９５】
これに対して、ステップＳ０２において比較部２２０が、１フレームの映像の平均輝度値ＡＰＬが閾値を下回ると判定したときには、ホワイトバランス制御部１５０は、映像の無彩色領域におけるホワイトバランスを調整する。具体的には、無彩色領域検出部２３０は、１フレームの映像に含まれる１画素ごとの彩度値Ｓを算出することにより、無彩色領域を検出する（ステップＳ０３）。
【００９６】
無彩色領域補正部２４０は、Ｙｅ光の重畳量に応じて、無彩色領域の映像データを補正する。具体的には、無彩色領域補正部２４０は、Ｙｅ光の重畳量ごとに補正係数が予め設定されたＲＧＢ係数テーブル２６０（図８）を参照することにより、Ｙｅ光の重畳量に対応する補正係数（Ｒ係数、Ｇ係数、Ｂ係数）を決定する。そして、無彩色領域補正部２４０は、その決定した補正係数に基づいた増幅率または減衰率で、映像データのＲ成分、Ｇ成分およびＢ成分をそれぞれ増幅または減衰することにより、無彩色領域の再現色が白色からずれるのを抑えるように補正する（ステップＳ０４）。
【００９７】
出力部２５０は、赤用調整信号Ｒ♯（補正後の赤用入力信号Ｒｉｎ）、緑用調整信号Ｇ♯（補正後の緑用入力信号Ｇｉｎ）および青用調整信号Ｂ♯（補正後の青用入力信号Ｂｉｎ）を、赤用出力信号Ｒｏｕｔ、緑用出力信号Ｇｏｕｔおよび青用出力信号Ｂｏｕｔとして各液晶パネル５Ｒ，５Ｇ，５Ｂ（図４）にそれぞれ出力する。出力部２５０は、黄用信号Ｙｅをそのまま黄用出力信号Ｙｅｏｕｔとして偏光状態調整素子５Ｙｅ（図４）に出力する。
【００９８】
図１１は、この発明の実施の形態に従うホワイトバランス調整を行なった場合の色度の変化を説明する図である。図１１は、白色表示（表示映像の階調値が最大）を行なう際の色度の変化を示している。
【００９９】
図１１（ａ）は、色度座標のうち、ｘ座標の変化をＹｅ光の重畳量ごとに示したものである。図１１（ａ）において、横軸はＹｅ光の重畳量、縦軸はｘ座標である。図中のラインｋ１は、ホワイトバランス調整前のｘ座標の変化を示し、図中のラインｋ２は、ホワイトバランス調整後のｘ座標の変化を示している。
【０１００】
図１１（ｂ）は、色度座標のうち、ｙ座標の変化をＹｅ光の重畳量ごとに示したものである。図１１（ｂ）において、横軸はＹｅ光の重畳量、縦軸はｙ座標である。図中のラインｋ３は、ホワイトバランス調整前のｙ座標の変化を示し、図中のラインｋ４は、ホワイトバランス調整後のｙ座標の変化を示している。
【０１０１】
図１１（ａ）および（ｂ）を参照して、ホワイトバランス調整前の色度（図中のラインｋ１，ｋ３を参照）は、Ｙｅ光の重畳量が減少するに従って、減少する特性を示す。これは、Ｙｅ光の重畳量を減らすことによって、再現色が白色からずれて青色側にシフトしていることを示している。
【０１０２】
これに対して、ホワイトバランス調整後の色度（図中のラインｋ２，ｋ４を参照）は、Ｙｅ光の重畳量の減少に対する色度の変化が、ホワイトバランス調整前の色度と比較して小さくなっている。すなわち、ホワイトバランス調整を行なうことによって、Ｙｅ光の影響によって再現色が白色からずれてしまうのが抑えられている。
【０１０３】
以上に述べたように、この発明の実施の形態によれば、第４成分光の重畳量に応じて、無彩色領域に属する画素の色成分を増幅または減衰させることにより、無彩色領域の再現色が白色からずれてしまうのを抑制できる。この結果、映像の輝度向上を図りながら、第４成分光の利用によって映像の色再現性が低下するのを抑制することが可能となる。
【０１０４】
（その他の実施の形態）
上述した実施の形態では、無彩色領域の映像データのホワイトバランスを調整する際に、予め設定されたＲＧＢ係数テーブル２６０（図８）を参照して、第４成分光（Ｙｅ光）の重畳量に対応する補正係数（Ｒ係数、Ｇ係数、Ｂ係数）を決定する構成について説明したが、このＲＧＢ係数テーブルを、表示される映像の平均輝度値ごとに、複数種類設けておく構成としてもよい。
【０１０５】
これは、Ｙｅ光の影響によるホワイトバランスずれの大きさが、映像の階調値によって異なることに基づいている。図１２は、Ｙｅ光の重畳量を一定とした場合の色度の変化を説明する図である。図１２は、複数の階調の白パターンの各々に対して、一定の重畳量（たとえば２５５とする）のＹｅ光を重畳させたときの色度を、各白パターンごとにプロットしたものである。図１２において、横軸は映像の階調値、縦軸は色度座標である。図中のラインｋ５は、色度座標のうちのｘ座標の変化を示し、ラインｋ６は、色度座標のうちのｙ座標の変化を示している。
【０１０６】
図１２に示すように、Ｙｅ光の重畳量が同じであっても、階調値によって色度に差が生じている。また、低階調から中間階調までは色度の変化がフラットな特性を示しているのに対して、高階調では色度は急激に変化する特性を示している。すなわち、Ｙｅ光の影響によるホワイトバランスずれの大きさは、映像の階調値によって異なっており、映像の階調値に対して非線形に変化している。
【０１０７】
このような場合には、図１２に示す色度の変化を、色度の変化が略線形とみなすことができる階調範囲を一単位区間として、複数個の単位区間に分割する。そして、１単位区間ごとにＹｅ光の重畳量に対応するＲＧＢ係数テーブルを設定する。これにより、映像の階調値によらず、ホワイトバランスを維持することができる。
【０１０８】
上述した実施の形態では、黄成分光が重畳される色成分光が緑成分光である構成について説明したが、これに限定されるものではない。黄成分光が重畳される色成分光は赤成分光であってもよい。この場合、赤成分光は、黄成分光とともに偏光状態調整素子５Ｙｅに入射する。
【０１０９】
上述した実施の形態では、赤成分光、緑成分光および青成分光とは異なる色成分光が、黄成分光であるが、これに限定されるものではない。該異なる色成分光は、シアン成分光、マゼンタ成分光であってもよい。あるいは、単一の色成分光とする以外にも、複数の色成分光であってもよい。
【０１１０】
上述した実施の形態では、黄成分光は、光源が発する光から分離されるが、これに限定されるものではない。具体的には、プロジェクタ１００には、黄成分光を発する固体光源（ＬＤ；Laser DiodeやＬＥＤ；Light Emitting Diode）が設けられていてもよい。
【０１１１】
上述した実施の形態では、黄成分光の重畳量は、偏光状態調整素子５Ｙｅの変調量によって制御されるがこれに限定されるものではない。具体的には、黄成分光の重畳量は、黄成分光の光路上に設けられたアイリス機構によって制御されてもよい。
【０１１２】
上述した実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１１３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１１４】
１  映像処理装置、４Ｒ，４Ｇ，４Ｂ，６Ｒ，６Ｂ  偏光板、５Ｙｅ  偏光状態調整素子、５Ｒ，５Ｇ，５Ｂ  液晶パネル、６  スクリーン、２０  光学エンジン、５０  光源、５１Ｒ，５１Ｇ，５１Ｂ  パネル、５１  フライアイインテグレータ、５１Ｙｅ  Ｙｅ素子、５２，５４〜５６  ダイクロイックミラー、５２Ｒ，５２Ｇ，５２Ｂ  パネルドライバ、５２Ｙｅ  素子ドライバ、５３  ミラー、６０  クロスダイクロイックキューブ、６２  投写レンズ、１００  プロジェクタ、１１０  Ａ／Ｄコンバータ、１２０  走査変換回路、１３０  色分離回路、１４０  重畳量制御部、１４２  入力信号受付部、１４４  変調量制御部、１５０  ホワイトバランス制御部、１６０  制御部、１７０  タイミングジェネレータ、２００  入力信号受付部、２１０  平均輝度値算出部、２２０  比較部、２３０  無彩色領域検出部、２４０  無彩色領域補正部、２５０  出力部、２６０  ＲＧＢ係数テーブル。
【図１】
2011237614.tif 000005
【図２】
2011237614.tif 000006
【図３】
2011237614.tif 000007
【図４】
2011237614.tif 000008
【図５】
2011237614.tif 000009
【図６】
2011237614.tif 000010
【図７】
2011237614.tif 000011
【図８】
2011237614.tif 000012
【図９】
2011237614.tif 000013
【図１０】
2011237614.tif 000014
【図１１】
2011237614.tif 000015
【図１２】
2011237614.tif 000016